(57)【特許請求の範囲】
【請求項１】
ガス警報器に噴入するガスをガス燃焼器の炎口近傍から採取するために、細管部材と採取器本体とを有するガス採取器であって、
前記細管部材を嵌挿可能な保持部材と、当該保持部材を互いに直角に構成してある二つの回動軸芯に対して回動可能なように枢支する支持脚部材とを有し、
前記支持脚部材を前記ガス燃焼器に固定可能に構成してあるガス採取器。
【請求項２】
ガス警報器に噴入するガスをガス燃焼器の炎口近傍から採取するために、細管部材と採取器本体とを有するガス採取器であって、
前記細管部材を嵌挿可能な保持部材と、当該保持部材を枢支するとともに、前記ガス燃焼器に固定可能に構成してある支持脚部材と、前記保持部材に設けられ前記採取器本体あるいは作業者の手をガスの燃焼熱から保護する保護部とを備えるガス採取器。
【請求項３】
前記保持部材に放熱フィンを設けてある請求項１又は２に記載のガス採取器。
【発明の詳細な説明】
【０００１】
【発明の属する技術分野】
本発明は、ガス警報器に噴入するガスをガス燃焼器の炎口近傍から採取するために、細管部材と採取器本体とを有するガス採取器に関する。
【０００２】
【従来の技術】
従来、この種のガス採取器には、ガス採取器そのものの構造あるいは採取作業を簡略化する等の目的から、ガスを採取する者が手で保持しつつガス採取を行う形式のものや、ガスを採取するガスライターにホルダーを取付け、当該ホルダーに細管部材を挿入してガスを採取する形式のもの等があった。
【０００３】
【発明が解決しようとする課題】
ガスを採取する際には、前記細管部材を例えばガス燃焼器の炎口近傍の所定の位置に一定時間保持しておく必要がある。しかし、上記従来のガス採取器によれば次のような問題があった。
例えば、前者の手持ち式のガス採取器では、前記細管部材の先端部を所定の位置に保持しようとする際に手振れが生じ、目的のガスへの空気の混入量が変動することとなって、結果的にガス警報器の点検には適しない濃度のガスしか採取できない場合があった。
また、後者のガスライターに取付けたホルダーを介してガスを採取するガス採取器では、ガス採取用の細管部材を任意の位置に設定することができなかった。このため、例えば、可燃性ガスに対するガス警報器と、一酸化炭素ガスに対するガス警報器とを交互に検査する場合には、可燃性ガスを採取するためのホルダーと、一酸化炭素ガスを採取するためのホルダーとを用意して交互に使い分ける等の必要があった。
【０００４】
一方、最近のガス警報器は、可燃性ガスに対する検知部と、一酸化炭素ガスに対する検知部とを併せ持つ形式のものが多い。この形式のガス警報器を点検する場合には、通常、可燃性ガスと一酸化炭素ガスとを夫々別個に各検知部に噴入する手法が用いられる。このため、ガス燃焼器やガスライター等からガスを採取して検知部に噴入する作業を、可燃性ガスに係るものと、一酸化炭素ガスに係るものとの二回行う必要がある。しかし、このようなガス警報器に対しては、必ずしも単一種類のガスを夫々噴入する必要はなく、可燃性ガスと一酸化炭素ガスとを含む混合ガスを夫々の検知部に噴入させることによっても、夫々の検知部の機能を検査することは可能である。その場合には、可燃性ガスと一酸化炭素ガスとを含む混合ガスを採取し、当該混合ガスを夫々の検知部に噴入することとなる。つまり、この場合には、従来の検査方法に比べてガス採取の作業を一回省略することができるから、作業効率を向上させることができる。
ただし、ガス燃焼器やガスライターから、前記混合ガスを採取するには、ガス採取用の細管部材を特定の位置に固定する必要がある。そして、この位置は炎の内部の狭い範囲に限定される。この点に関し、従来のガス採取器では、細管部材の位置固定が行えないか、仮に固定が行えたとしても細管部材の先端を任意の位置に設定することが不可能であったから、上記のごとく、効率的なガス警報器の検査を行うことができなかった。
【０００５】
さらに、一酸化炭素ガスを含めて採取する場合には、実際にガス燃焼器等で炎を形成し、内炎の先端部近傍に前記細管部材を保持する必要がある。しかし、一定時間に亘って前記細管部材を保持しなければならないとすると、その間、採取器本体あるいは採取作業者の手が熱にさらされることとなる。
しかし、従来のガス採取器にあっては、当該熱に対する保護手段を何ら有していなかったから、採取器本体あるいは採取作業者の手を保護するという点で不十分であり、未だ改善の余地があった。
【０００６】
本発明の目的は、このような従来技術の欠点を解消し、ガスの採取作業の効率を向上し得るガス採取器を提供することにある。
【０００７】
【課題を解決するための手段】
この目的を達成するための本発明の特徴構成を、図１から図４に示した例を参考に説明する。
【０００８】
（構成１）
本発明のガス採取器は、請求項１に記載したごとく、細管部材２を嵌挿可能な保持部材Ｈと、当該保持部材Ｈを互いに直角に構成してある二つの回動軸芯に対して回動可能なように枢支する支持脚部材Ｓとを有し、前記支持脚部材を前記ガス燃焼器Ｂに固定可能に構成された点に特徴を有する。
（作用・効果）
本構成によれば、支持脚部材によって当該ガス採取器をガス燃焼器に容易に取付けることができる。
また、互いに直角に構成してある二つの回動軸芯に対して回動可能なように、前記保持部材が前記支持脚部材に枢支されているので、保持部材は前記支持脚部材に対して上下左右の何れの方向にも方向修正可能であるから、細管部材をガス燃焼器に対する任意の位置に容易に位置合わせすることができる。
このように本発明のガス採取器であれば細管部材の固定を迅速・確実に行えるから、ガスの採取効率を向上させることができる。
【０００９】
（構成２）
本発明のガス採取器は、請求項２に記載したごとく、前記細管部材を嵌挿可能な保持部材Ｈと、当該保持部材Ｈを枢支するとともに、前記ガス燃焼器に固定可能に構成してある支持脚部材Ｓと、前記保持部材３に設けられ前記採取器本体３あるいは作業者の手をガスの燃焼熱から保護する保護部６とを備えた点に特徴を有する。
（作用・効果）
本構成のごとく保護部を設けることで、ガスを燃焼させた状態でもガス採取を支障無く行うことができる。
【００１０】
（構成３）
本発明のガス採取器は、請求項３に記載したごとく、前記保持部材Ｈに放熱フィン１３を設けて構成することができる。
（作用・効果）
本構成のごとく放熱フィンを設けておけば、ガスの燃焼熱によって前記保持部材が過熱するのを防止でき、熱によるガス採取器の劣化を防止できる。
また、たとえ保持部材が高温化してもガスの採取を終了した後には速やかに冷却されるから、安全上も好ましいものとすることができる。
【００１１】
尚、上記課題を解決するための手段の説明中、図面を参照し、図面との対照を便利にするために符号を記すが、当該記入により本発明が添付図面の構成に限定されるものではない。
【００１２】
【発明の実施の形態】
（概要）
以下に本発明の実施例を図面に基づいて説明する。
本発明のガス採取器Ａは、図１に示すごとく、例えば、ガス燃焼器Ｂから噴出されるメタンガス、プロパンガス等の可燃性ガス、或いは、一酸化炭素ガスを夫々単独で又は混合させた状態で採取するために、ガス燃焼器Ｂの五徳１等に固定して用いる。採取したガスＧは、各種のガス警報器を点検するためにガス警報器に噴入したり、ガス成分そのものの分析に用いる。
【００１３】
（構成）
図１および図２に示すごとく、本発明のガス採取器Ａは、主に、細管部材２、および、採取器本体３、保持部材Ｈ、支持脚部材Ｓとからなる。以下、夫々の構成について説明する。
【００１４】
〈細管部材〉
目的のガスＧを採取する際に、ガス燃焼器Ｂの炎口４の近傍に位置させる管状の部材である。一酸化炭素ガスを採取する際には、当該細管部材２は、炎の内炎先端部に位置させるため、耐熱性・耐蝕性を有する必要がある。当該細管部材２は、例えば、ステンレス鋼やセラミックス等によって構成するとよい。
【００１５】
〈採取器本体〉
前記細管部材２を通して採取したガスＧを貯留する部分である。当該採取器本体３は、例えば、ベローズ部を設けて構成する。即ち、ガスＧを採取する際には、手でベローズを一旦収縮させた後に収縮力を解除し、ベローズを自己の弾性復元力によって膨張させることでガスＧを一定速度で吸引するものである。つまり、吸引速度が変動する場合には、空気の混入量が変動して目的のガスＧの濃度が変動する等の不都合が生じるが、吸引速度を一定にすることで、このような不都合を防止できる。
吸引速度の調節は、例えば、ベローズの外径や全長あるいは細管部材２の内径を適宜選択して行う。
以上のごとく、前記採取器本体３は、原則として弾性収縮自在な部材で構成する。例えば、各種ゴム、合成樹脂、金属の薄板等で構成することができる。
当該採取器本体３と前記細管部材２との接続は、両者の間でガスＧの漏洩を防止できるものであれば、例えば嵌合あるいはネジ係合など何れの構成であってもよい。
【００１６】
〈保持部材〉
当該保持部材Ｈは、前記細管部材２あるいは前記採取器本体３を保持するための部材である。当該保持部材Ｈは、保持部本体５と保護部６とからなる。
前記細管部材２は、例えば前記細管部材２の基端部２ａを前記保持部本体５に嵌挿して取付ける。基端部２ａと保持部本体５との接続は、嵌合であってもよいしネジ係合であってもよい。ただし、ガスＧを採取した後は当該ガスＧをガス警報器などに噴入する必要があるから、着脱容易な構成であることが望ましい。
前記保護部６は、前記採取器本体３あるいは作業者の手をガスＧの燃焼熱から保護するためのものである。例えば、一酸化炭素ガスを採取するには、ガスＧを燃焼させた状態で行う必要があるため、当該保護部６が必要となる。尚、可燃性ガスのみを採取する際には、燃焼させない状態でガス採取を行うから、その場合には上記保護部６は特に必要ない。
当該保持部材Ｈの材質は、特に耐熱性を有するものであれは、各種の金属あるいは合成樹脂等を用いて構成することができる。
【００１７】
〈支持脚部材〉
支持脚部材Ｓは、前記保持部材Ｈを支持するための支持部７と、当該支持脚部材Ｓ自身をガス燃焼器Ｂ側の部材である例えばガス燃焼器Ｂの五徳１に固定するための固定部８とからなる。支持部７と固定部８とは、支柱９により連結してある。当該支持脚部材Ｓにより、前記細管部材２を前記炎口４の近傍に固定することができる。
前記支持部７は例えばフォーク形状を呈しており、双方のアーム部７ａを第１枢支部１０を介して前記保持部本体５に接続してある。当該アーム部７ａは、前記支柱９の延出方向に対して傾斜させてある。このように構成することで、図３に示すごとく、当該ガス採取器Ａを例えばガスライター１１に取り付けることも容易となって、当該ガス採取器Ａの適用範囲を広げることができる。
第１枢支部１０は、例えば、ボルト・ナットで構成し、前記保持部本体５と前記支持部７とを挟持するものとする。つまり、作業者は、上下方向における前記保持部材Ｈの姿勢を設定する際には、前記第１枢支部１０で生じている摩擦力以上の力を前記保持部材Ｈに加えることで、保持部材Ｈの姿勢を変更することができる。
前記固定部８は、例えば、弾性部材を用いたクリップで構成することができる。本構成であれば、五徳１に対して簡単に取り付けることができる。
また、当該固定部８と前記支持部７との間には、第２枢支部１２を設けてあり、支持部７に対して固定部８を回動可能である。前記第１枢支部１０の回動軸芯Ｘと当該第２枢支部の回動軸芯Ｙとは略直角に構成してあり、これにより前記細管部材２は上下方向および左右方向に方向修正可能である。
尚、第２枢支部１２も、前記支持部７と前記固定部８との間に一定の摩擦力が生じるように構成しておくことで、簡単に方向修正することができる。
【００１８】
（効果）
本発明のガス採取器Ａであれば、支持脚部材Ｓによって当該ガス採取器Ａをガス燃焼器Ｂ側の部材に容易に取付けることができ、保持部材Ｈは前記支持脚部材Ｓに対して上下左右の何れの方向にも方向修正可能であるから、細管部材２をガス燃焼器Ｂに係る炎口４近傍の所定の位置に容易に位置合わせすることができる。このように本発明のガス採取器Ａであれば、細管部材２を任意の位置に対して迅速・確実に固定できるから、ガスＧの採取効率を向上させることができる。
また、本構成のガス採取器Ａであれば、細管部材２の先端の位置調節を自在に行えるから、例えば、可燃性ガスと一酸化炭素ガスとの混合ガスを採取することも容易となって、可燃性ガスに対する検知部と、一酸化炭素ガスに対する検知部とを併せ持つ最近のガス警報器の点検作業を迅速に行うことも可能となる。
さらに、本発明のガス採取器Ａは、保護部６を有するから、ガスＧを燃焼させた状態でもガス採取を支障なく行うことができる。
【００１９】
〔別実施形態〕
上記実施形態においては、前記保護部６を単にカバー体としての形状を有するものとして構成したが、当該構成に限られるものではない。例えば、図４に示すごとく、複数の放熱フィン１３を備えるものであれば、ガスＧの燃焼熱によって前記保持部材Ｈが過熱するのを防止でき、熱によるガス採取器Ａの劣化を防止できる。
また、ガスＧの採取に際して前記保持部材Ｈが高温化されても、ガスＧの採取が終了した後には速やかに冷却されるから、安全上も好ましいものとなる。
尚、ここまでの実施形態では前記保持部本体５を立方体形状とし、前記保護部６を略四角錘状に構成しているが、勿論、この他にも任意の形状を選択することが可能である。
【図面の簡単な説明】
【図１】  本発明に係るガス採取器の外観を示す一部断面側面図
【図２】  本発明に係るガス採取器の分解斜視図
【図３】  本発明に係るガス採取器の使用態様の一例を示す側面図
【図４】  別実施形態に係るガス採取器の外観を示す一部断面側面図
【符号の説明】
２    細管部材
３    採取器本体
４    炎口
６    保護部
１３  放熱フィン
Ａ    ガス採取器
Ｂ    ガス燃焼器
Ｇ    ガス
Ｈ    保持部材
Ｓ    支持脚部材
【図１】
0003871408.tif 000002
【図２】
0003871408.tif 000003
【図３】
0003871408.tif 000004
【図４】
0003871408.tif 000005